(57)【要約】本発明は、家庭用基地局に基づくアクセスモード処理方法を提供した。家庭用基地局とコアネットワークの間でフロー制御伝送プロトコル接続を構築して、家庭用基地局は、そのアクセスモードを表すアクセスモード情報をコアネットワークへ通知する。本発明は、有効的にネットワークの性能とユーザー体験を高める。具体的には、本発明は、家庭用基地局とコアネットワークの間でフロー制御伝送プロトコル接続を構築し、前記家庭用基地局は、そのアクセスモードを表すアクセスモード情報を前記コアネットワークへ通知することを含むことを特徴とする家庭用基地局に基づくアクセスモード処理方法を提供する。
2012518352.tif 000002
【特許請求の範囲】
【請求項１】
家庭用基地局とコアネットワークの間でフロー制御伝送プロトコル接続を構築し、
前記家庭用基地局は、そのアクセスモードを表すアクセスモード情報を前記コアネットワークへ通知することを含むことを特徴とする家庭用基地局に基づくアクセスモード処理方法。
【請求項２】
前記家庭用基地局のアクセスモードが変化すると、前記家庭用基地局は、更新された後のアクセスモード情報を前記コアネットワークへ通知することを特徴とする請求項１に記載の方法。
【請求項３】
家庭用基地局がコアネットワークと直接に接続して、そのアクセスモード情報を前記コアネットワークへ通知することは、
前記家庭用基地局が前記アクセスモード情報を携帯するＵＥ関連メッセージ或いはＵＥの関連がないメッセージを直接に前記コアネットワークへ送信することを含めることを特徴とする請求項１に記載の方法。
【請求項４】
前記家庭用基地局がコアネットワークと前記家庭用基地局が所属する家庭用基地局ゲートウェイを介して接続して、そのアクセスモード情報を前記コアネットワークへ通知することは、
前記家庭用基地局が前記アクセスモード情報を携帯するＵＥ関連メッセージを前記家庭用基地局ゲートウェイより前記コアネットワークへ転送する、或いは、前記アクセスモード情報を携帯するＵＥの関連がないメッセージを前記家庭用基地局ゲートウェイへ送信することを含むことを特徴とする請求項１に記載の方法。
【請求項５】
前記家庭用基地局のアクセスモードが変化すると、前記家庭用基地局がそのアクセスモード情報を前記コアネットワークへ通知することは、
前記家庭用基地局が前記更新された後のアクセスモード情報を配置更新メッセージに携帯して前記コアネットワークへ送信することをさらに含めることを特徴とする請求項３または４に記載の方法。
【請求項６】
前記ＵＥ関連メッセージは、ＵＥ初期化メッセージであることを特徴とする請求項３または４に記載の方法。
【請求項７】
前記ＵＥの関連がないメッセージは、Ｓ１構築（ｓｅｔｕｐ）メッセージであることを含めることを特徴とする請求項３または４に記載の方法。
【請求項８】
前記家庭用基地局の前記アクセスモード情報は、少なくても一つの限定型アクセスモード、混合型アクセスモード、非限定型アクセスモードを示すことに用いられることを特徴とする請求項１に記載の方法。
【発明の詳細な説明】
【技術分野】
【０００１】
本発明は、通信分野に関し、特に、家庭用基地局に基づく（Ｈｏｍｅ（Ｅｖｏｌｖｅｄ）  Ｎｏｄｅ  Ｂ、Ｈ（ｅ）ＮＢと略称）アクセスモード処理方法に関する。
【背景技術】
【０００２】
家庭用基地局は、小型、かつ低消費電力のセルラー基地局であって、主に家庭及びオフィス等の室内場所に応用される。家庭用基地局は、セルラーネットワークの室内カバーでの補充として、ユーザーに音声及びデータサービスを提供できて、且つ、単独に使用されてもいいし、家庭ゲートウェイに統合されて家庭ネットワークの一部としてもいい、且つ、ローコスト、プラグアンドプレイをサポートし、ブロードバンドよりアクセスし、消費電力が低い等の特点を備える。
【０００３】
提供されたインターフェースによって、家庭用基地局は、第３世代（３ｒｄ  Ｇｅｎｅｒａｔｉｏｎ、３Ｇと略称）デジタル通信システム或いは長期進化型（Ｌｏｎｇ  Ｔｅｒｍ  Ｅｖｏｌｕｔｉｏｎ、ＬＴＥと略称）ネットワークアーキテクチャにアクセスすることができる。
【０００４】
図１は関連技術における３Ｇ通信システムのネットワークアーキテクチャのブロック図である。図１に示すように、３Ｇネットワークアーキテクチャは、ユニバーサル地上波無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、ＵＴＲＡＮと略称）とコアネットワーク（Ｃｏｒｅ  Ｎｅｔｗｏｒｋ、ＣＮと略称）を含める。ＵＴＲＡＮは、無線ネットワークサブシステム（Ｒａｄｉｏ  Ｎｅｔｗｏｒｋ  Ｓｕｂｓｙｓｔｅｍ、ＲＮＳと略称）を含め、ＲＮＳに基地局（Ｎｏｄｅ  Ｂ）と無線ネットワーク制御装置（Ｒａｄｉｏ  Ｎｅｔｗｏｒｋ  Ｃｏｎｔｒｏｌｌｅｒ、ＲＮＣと略称）を含め、Ｎｏｄｅ  ＢとＲＮＣをＩｕｂインターフェースより接続し、ＵＴＲＡＮとＣＮをＩｕポートより接続する。
【０００５】
図２は関連技術におけるＬＴＥシステムのネットワークアーキテクチャのブロック図である。図２に示すように、ＬＴＥネットワークアーキテクチャにおいて、コアネットワーク（進化型パケットコア（Ｅｖｏｌｖｅｄ  Ｐａｃｋｅｔ  Ｃｏｒｅ、ＥＰＣと略称））と進化型ＵＴＲＡＮ（Ｅｖｏｌｖｅｄ  ＵＴＲＡＮ、ｅＵＴＲＡＮと略称）を含め、ｅＵＴＲＡＮが基地局（進化型Ｎｏｄｅ  Ｂ（Ｅｖｏｌｖｅｄ  Ｎｏｄｅ  Ｂ、ｅＮｏｄｅ  Ｂと略称））を含めて、ｅＮｏｄｅ  ＢがＳ１インターフェースよりＥＰＣと接続する。
【０００６】
通常に、これらの通信システムにおいて、ＨＮＢ（ＬＴＥシステムにおいてまたＨｅＮＢ（Ｈｏｍｅ  Ｅｖｏｌｖｅｄ  Ｎｏｄｅ  Ｂ）と呼ばれる）を管理することの便利で、コアネットワークに対する影響を減少するために、家庭用基地局システムは、無線アクセスネットワークに家庭用基地局ゲートウェイ（Ｈｏｍｅ  （ｅ）Ｎｏｄｅ  Ｂ  Ｇａｔｅｗａｙ、Ｈ（ｅ）ＮＢ  ＧＷと略称）（ＬＴＥシステムにおいてＨｅＮＢ  ＧＷと呼ばれる）を導入する。
【０００７】
図３は関連技術による３Ｇ通信システムにおける家庭用基地局のネットワークアーキテクチャのブロック図である。図３に示すように、ＨＮＢ  ＧＷは、コアネットワークと接続し、ＨＮＢは、Ｉｕｈポートを介してＨＮＢ  ＧＷに接続され、無線アクセスネットワークとコアネットワークのインターフェースは、マクロ基地局とコアネットワークのインターフェースを継承して、同様にＩｕインターフェースであって、即ち、ＨＮＢがＩｕポートを介してコアネットワークに接続され、ＨＮＢ  ＧＷがＩｕＣＳポートを介してコアネットワークの回路スイッチ（Ｃｉｒｃｕｉｔ  Ｓｗｉｔｃｈ、ＣＳと略称）に接続され、そして、ＩｕＰＳポートを介してコアネットワークのパケットスイッチ（Ｐａｃｋｅｔ  Ｓｗｉｔｃｈ、ＰＳと略称）に接続される。
【０００８】
図４は関連技術によるＬＴＥシステムにおける家庭用基地局のネットワークアーキテクチャ形態一のブロック図である。図４に示すように、このアーキテクチャ形態で、家庭用基地局（ＨｅＮＢ）と進化型パケットコアネットワーク（ＥＰＣ）は、Ｓ１ポートより直接に接続する。
【０００９】
図５は関連技術によるＬＴＥシステムにおける家庭用基地局のネットワークアーキテクチャ形態二のブロック図である。図５に示すように、このアーキテクチャ形態で、家庭用基地局（ＨｅＮＢ）は、家庭用基地局ゲートウェイ（ＨｅＮＢ  ＧＷ）を介して進化型パケットコアネットワーク（ＥＰＣ）と接続して、家庭用基地局（ＨｅＮＢ）と家庭用基地局ゲートウェイ（ＨｅＮＢ  ＧＷ）の間のインターフェースがＳ１−ＭＭＥポートであって、家庭用基地局ゲートウェイとＭＭＥの間のインターフェーがＳ１−ＭＭＥインターフェースとも呼ばれる。区別の便利のために、図５に示すように、家庭用基地局（ＨｅＮＢ）と家庭用基地局ゲートウェイ（ＨｅＮＢ  ＧＷ）の間のインターフェースをＳ１−Ａインターフェースに、家庭用基地局ゲートウェイとＭＭＥの間のインターフェースをＳ１−Ｂインターフェースに、家庭用基地局（ＨｅＮＢ）と進化型パケットコアーネットワーク（ＥＰＣ）の間のインターフェースをＳ１インターフェースに記載する。
【００１０】
上記システムアーキテクチャにおける家庭用基地局に基づいて、第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ、３ＧＰＰと略称）標準組織は、限定加入者グループ（Ｃｌｏｓｅｄ  Ｓｕｂｓｃｒｉｂｅｒ  Ｇｒｏｕｐ、ＣＳＧと略称）を提案する。具体的には、限定介入者グループは、倫理的概念でって、通常に一つの家庭或いは一つの企業から一つの限定加入者グループを構成する。３ＧネットワークとＬＴＥネットワークにもＣＳＧを応用して、そして、ＬＴＥネットワークにＨｅＮＢ  ＧＷの配置にかかわらず、ＣＳＧを応用する。図６は関連技術による家庭用基地局と限定加入者グループとの関係を示す図である。一つの限定加入者グループは、一つまたは複数の家庭用基地局によってサービスを提供することができ、且つ、限定加入者グループごとにそれぞれ識別子を持つ。一つのＣＳＧにサービスを提供する家庭用基地局の全ては、一つのＣＳＧ  ＩＤを採用する。図６に示すように、ＣＳＧ１にはＨ（ｅ）ＮＢ１とＨ（ｅ）ＮＢ２が含まれ、ＣＳＧ２にはＨ（ｅ）ＮＢ３とＨ（ｅ）ＮＢ４が含まれる。
【００１１】
通常に、無線アクセスと関係ない高層プロトコルモジュールをノーアクセス層（Ｎｏｎ−Ａｃｃｅｓｓ  Ｓｔｒａｔｕｍ、ＮＡＳと略称）と称することができ、ＮＡＳ層がユーザー装置（Ｕｓｅｒ  Ｅｑｕｉｐｍｅｎｔ、ＵＥと略称）とコアネットワーク（Ｃｏｒｅ  Ｎｅｔｗｏｒｋ、ＣＮと略称）に存在して、主にサービスに関連する機能を処理することを含める。無線アクセスネットワーク部分プロトコル（無線アクセスネットワーク応用部分（Ｒａｄｉｏ  Ａｃｃｅｓｓ  Ｎｅｔｗｏｒｋ  Ａｐｐｌｉｃａｔｉｏｎ  Ｐａｒｔ、ＲＡＮＡＰと略称）／Ｓ１応用プロトコル（Ｓ１  Ａｐｐｌｉｃａｔｉｏｎ  Ｐｒｏｔｏｃｏｌ、Ｓ１ＡＰと略称））は、Ｉｕ（Ｓ１）インターフェースのアクセスネットワーク関連のシグナル流れ規範である。
【００１２】
一つの呼び出しサービスにおいて、ＵＥがアクセスネットワークを介してＣＮにアクセスする過程で、ＣＮへノーアクセス層の「付着リクエスト」メッセージを送信して、ＵＥとＣＮサービスノードとの論理的接続を構築する必要がある。ＵＥに対してアクセス制御を実施するために、家庭用基地局は、付着リクエストメッセージを受信した後で、このメッセージをＳ１／Ｉｕインターフェースの「ＵＥ初期化メッセージ」にパッケージしてＣＮへ送信して、さらに、この「ＵＥ初期化メッセージ」に家庭用基地局が所属するＣＳＧの識別子情報を携帯する。ＣＮ側にこのＵＥのアクセスを許可する１つのＣＳＧ識別子リストが保存されて、ＵＥ初期化メッセージに携帯されたＣＳＧ  ＩＤ情報がこのＵＥアクセスのＣＳＧ識別子リストに存在すると、このＵＥがＣＮにアクセスすることを許可する。
【００１３】
一方、ＣＮは、家庭用基地局よりアクセスされたＵＥを呼び出す時に呼び出し最適化を実行することができ、「ＵＥのアクセスを許可するＣＳＧリスト」に基づいて所属の家庭用基地局ゲートウェイを探して、「ＵＥのアクセスを許可するＣＳＧリスト」を家庭用基地局ゲートウェイへ送信して、家庭用基地局ゲートウェイが呼び出しメッセージをリストにおけるＣＳＧセルへ送信する。
【００１４】
現在、アクセスネットワークが家庭用基地局のＣＳＧ  ＩＤを取得する方法は、３Ｇの家庭用基地局システムにおいて、家庭用基地局が登録メッセージより家庭用基地局ゲートウェイへＣＳＧ  ＩＤを報告し、ＬＴＥの家庭用基地局システムにおいて、Ｓ１インターフェースよりメッセージを構築して移動的な管理エンティティと家庭用基地局ゲートウェイ（家庭用基地局システムアーキテクチャに家庭用基地局ゲートウェイがあれば）へ自身のＣＳＧ識別子を報告する。ＣＳＧ識別子が変化すると、家庭用基地局は、基地局の配置更新メッセージより移動的な管理エンティティ或いは家庭用基地局ゲートウェイへ新しいＣＳＧ識別子を通知する。
【００１５】
最新の家庭用基地局のサービス需要において、家庭用基地局のセルの３つのアクセスモードが提案された。３ＧＰＰ標準組織は、アクセス制御と課金管理の便利のために、家庭用基地局のセルに限定型アクセスモード、混合型アクセスモード、非限定型アクセスモードの３つのアクセスモードを定義すると提案する。
【００１６】
実際の応用において、ユーザーは、一つのＣＳＧユーザーとして登録することができる。一つの家庭用基地局が限定型アクセスモードであると、この家庭用基地局が所属するＣＳＧの登録ユーザーだけこの家庭用基地局にアクセスしてこの家庭用基地局に提供されたサービスを共有することができる。一つの家庭用基地局が非限定型アクセスモードであると、いずれかのＵＥは、この家庭用基地局にアクセスさえることができて、ＣＳＧユーザーに登録しないＵＥを含める。混合モードでアクセスされた家庭用基地局は、限定型アクセスモードと非限定型アクセスモードの家庭用基地局の特点を繋ぐため、１つのＵＥがこの家庭用基地局が所属するＣＳＧユーザーに登録するかどうかにかかわらず、混合アクセスモードでの家庭用基地局にアクセスすることができる。
【００１７】
現在のアクセス制御流れによって、ＣＮは、ＣＳＧ識別子を取得するが、すでにＣＳＧ識別子だけによってＵＥに対するアクセス制御を実現できない。一つの家庭用基地局が混合型アクセスタイプに属するＣＳＧであると、このようにＵＥがこの基地局にアクセスすると、基地局がＵＥ初期化メッセージにＣＳＧ識別子を携帯しなくても、或いは、携帯されたＣＳＧ識別子がミスであっても、ＣＮは、このＵＥのアクセスを許可すべきである。しかし、ＣＮが家庭用ＣＳＧアクセスモードを取得しないため、ＣＳＧ  ＩＤだけで正確にＵＥに対するアクセス制御プロセスを実現できない。
【００１８】
また、家庭用基地局のアクセスモードが変化する場合でも、ＣＮは、新しいＨ（ｅ）ＮＢアクセスモードタイプを直ちに取得すべきである。従来技術において、ＬＴＥ  ＨｅＮＢのＣＳＧ  ＩＤが変化すると、Ｓ１インターフェースの配置更新メッセージよりＣＮを通知するが、ＨｅＮＢのＣＳＧアクセスタイプが変化すると、ＣＮは、このような変化を知ることができない。
【００１９】
関連技術におけるＣＮが家庭用基地局のアクセスモードを知ることができないため、ＵＥのアクセス制御がミスとなる問題については、現在、まだ有效的な解決案が出されない。
【発明の概要】
【課題を解決するための手段】
【００２０】
本発明は、関連技術におけるコアネットワークが家庭用基地局のアクセスモードを知ることができないため、ＵＥのアクセス制御がミスにとなる問題及呼び出しの実施を考えて提案されるものであって、そのために、その主な目的が上記問題の少なくとも１つを解決するように、家庭用基地局に基づくアクセスモード処理方法を提供することにある。
【００２１】
本発明の一つの方面に係る家庭用基地局に基づくアクセスモード処理方法は、家庭用基地局とコアネットワークの間にフロー制御伝送プロトコル接続を構築して、家庭用基地局がそのアクセスモードを表すアクセスモード情報をコアネットワークへ通知する。
【００２２】
優先的に、家庭用基地局のアクセスモードが変化すると、家庭用基地局は更新された後のアクセスモード情報をコアネットワークへ通知する。
【００２３】
家庭用基地局がコアネットワークと直接に接続して、アクセスモード情報をコアネットワークへ通知することは、家庭用基地局がアクセスモード情報を携帯するＵＥ関連メッセージまたはＵＥの関連がないメッセージをコアネットワークへ直接に送信することを含める。
【００２４】
家庭用基地局がコアネットワークと家庭用基地局が所属する家庭用基地局ゲートウェイより接続して、アクセスモード情報をコアネットワークへ通知することは、家庭用基地局がアクセスモード情報を携帯するＵＥ関連メッセージを家庭用基地局ゲートウェイよりコアネットワークへ転送する、或いは、アクセスモード情報を携帯するＵＥの関連がないメッセージを家庭用基地局ゲートウェイへ送信することを含める。
【００２５】
家庭用基地局とコアネットワークが直接接続するため、家庭用基地局のアクセスモードが変化すると、家庭用基地局が更新された後のアクセスモード情報をコアネットワークへ通知することは、家庭用基地局が更新された後のアクセスモード情報を配置更新メッセージに携帯させてコアネットワークへ送信することを含める。
【００２６】
家庭用基地局とコアネットワークが家庭用基地局ゲートウェイより接続するため、家庭用基地局のアクセスモードが変化すると、家庭用基地局がその更新された後のアクセスモード情報をコアネットワークへ通知することは、家庭用基地局が更新された後のアクセスモード情報を携帯する配置更新メッセージを家庭用基地局ゲートウェイへ送信することを含める。
【００２７】
優先的に、ＵＥ関連メッセージは、以下の一つであるＵＥ初期化メッセージを含めて、ＵＥ無関係メッセージがＳ１  ｓｅｔｕｐメッセージ（即ち、Ｓ１構築メッセージ）を含める。
【００２８】
家庭用基地局のアクセスモード情報は、限定型アクセスモード、混合型アクセスモード、非限定型アクセスモードの少なくても一つを示すことに用いられる。具体的には、家庭用基地局がそのアクセスモード情報をコアネットワークへ通知する時に、通常、このアクセスモード情報は、１つのアクセスモードを示すことに用いられる。
【００２９】
本発明の上記少なくとも一つの技術案によれば、家庭用基地局がそのアクセスモード情報をコアネットワーク或いは家庭用基地局ゲートウェイへ通知することで、コアネットワーク或いは家庭用基地局ゲートウェイが家庭用基地局のアクセスモードを直ちに知ることが可能となって、端末のアクセスにミスが現れる問題を避けて、有効的にネットワークの性能とユーザー体験を高める。
【図面の簡単な説明】
【００３０】
ここで記載する添付図面は本発明を更に説明する用であり、本発明の一部を構成し、示した実施の形態とその説明は本発明を解釈する用であり、本発明に対する不当な限定ではない。
【図１】関連技術における３Ｇ通信システムのネットワークアーキテクチャのブロック図である。
【図２】関連技術におえけるＬＴＥシステムのネットワークアーキテクチャのブロック図である。
【図３】関連技術による３Ｇ通信システムにおける家庭用基地局のネットワークアーキテクチャのブロック図である。
【図４】関連技術によるＬＴＥシステムにおける家庭用基地局のネットワークアーキテクチャ形態一のブロック図である。
【図５】関連技術によるＬＴＥシステムにおける家庭用基地局のネットワークアーキテクチャ形態二のブロック図である。
【図６】関連技術による家庭用基地局と限定加入者グループとの関係を示す図である。
【図７】本発明の方法による実施例における家庭用基地局に基づくアクセスモード処理方法のフローチャートである。
【図８】本発明方法による実施例における家庭用基地局に基づくアクセスモード処理方法の処理実例１のシグナルフローチャートである。
【図９】本発明方法による実施例における家庭用基地局に基づくアクセスモード処理方法の処理実例２のシグナルフローチャートである。
【図１０】本発明方法による実施例における家庭用基地局に基づくアクセスモード処理方法の処理実例３のシグナルフローチャートである。
【図１１】本発明方法による実施例における家庭用基地局に基づくアクセスモード処理方法の処理実例４のシグナルフローチャートである。
【図１２】本発明方法による実施例における家庭用基地局に基づくアクセスモード処理方法の処理実例５のシグナルフローチャートである。
【発明を実施するための形態】
【００３１】
機能概述
現在、ＵＥがいずれかの混合型アクセスモードと非限定型アクセスモードのＣＳＧセルにアクセスすることができ、一つのＣＳＧユーザーではないＵＥが非限定アクセスモードの家庭用基地局よりコアネットワークにアクセスすることができるが、この家庭用基地局が所属するＣＳＧのＣＳＧ  ＩＤが「アクセスを許可するＣＳＧリスト」に存在しないため、「アクセスを許可するＣＳＧリスト」だけでも正確にＵＥを呼び出すことができなくて、コアネットワークが家庭用基地局のアクセスモードを知ることができないためでＵＥのアクセスがミスとなる問題を生じる。  
上述したものに基づいて、家庭用基地局ゲートウェイとコアネットワークは、家庭用基地局のアクセスモードを知る必要があると分かる。そのため、本発明は、家庭用基地局がそれとコアネットワーク或いは家庭用基地局ゲートウェイの間のメッセージを利用してそのアクセスモード情報を家庭用基地局ゲートウェイとコアネットワークに通知する方案を提案する。さらに、現在、家庭用基地局が家庭用基地局ゲートウェイを介してコアネットワークと接続すると、家庭用基地局ゲートウェイは、家庭用基地局のＣＳＧ  ＩＤを知る必要があって、家庭用基地局がコアネットワークと直接に接続すると、コアネットワークは、家庭用基地局のＣＳＧ  ＩＤを知る必要があって、類似して、家庭用基地局が家庭用基地局ゲートウェイを介してコアネットワークと接続すると、家庭用基地局ゲートウェイが家庭用基地局のアクセスモードを知る必要があって、家庭用基地局がコアネットワークと直接に接続すると、コアネットワークは、家庭用基地局のアクセスモードを知る必要がある。本発明の技術案よれば、コアネットワークと家庭用基地局ゲートウェイは、家庭用基地局のアクセスモードを直ちに知ることが可能となって、ＵＥのアクセスにミスが現れる問題を避ける。
【００３２】
衝突しない場合では、本願における実施例及び実施例における特徴は、相互に組み合わせることができる。
【００３３】
以下、図面を参照して本発明を詳しく説明する。
【００３４】
方法の実施例
本実施例において、家庭用基地局に基づくアクセスモード処理方法が提供される。
【００３５】
図７は本発明による実施例における家庭用基地局に基づくアクセスモード処理方法のフローチャートである。需要によって説明するように、説明の便利のため、図７にステップの形式で本発明の方法の実施例の技術案を示して説明する。図７に示すステップは、たとえば１グループのコンピュータ実行可能コマンドのコンピュータシステムで実行されることが可能である。図７に倫理的順序を示したが、いくつかの場合では、ここでの順序と異なる順序で示されるまたは説明されるステップを実行することができる。図７に示すように、この方法は、以下のステップ（ステップＳ７０２〜ステップＳ７０６）を含める。
【００３６】
ステップＳ７０２において、家庭用基地局とコアネットワークの間でフロー制御伝送プロトコル接続を構築する。
【００３７】
ステップＳ７０４において、家庭用基地局は、そのアクセスモードを表すアクセスモード情報をコアネットワークへ通知する。
【００３８】
ステップＳ７０６において、家庭用基地局のアクセスモードが変化すると、家庭用基地局は、更新された後のアクセスモード情報をコアネットワークへ通知する。
【００３９】
この実施例によれば、コアネットワークは、家庭用基地局のアクセスモードを直ちに知ることができて、端末のアクセスにミスが現れる問題を避けて、有効的にネットワークの性能とユーザー体験を高める。
【００４０】
家庭用基地局は、アクセスモード情報をコアネットワークへ通知する
家庭用基地局とコアネットワークが家庭用基地局ゲートウェイを介して接続するかどうかことに基づいて、アクセスモード情報をコアネットワークまたは家庭用基地局ゲートウェイへ通知する具体的な態様を確定する。
【００４１】
一方、家庭用基地局とコアネットワークが直接に接続する場合で、家庭用基地局は、アクセスモード情報を携帯するＵＥ関連メッセージまたはＵＥの関連がないメッセージを直接にコアネットワークへ送信して、コアネットワークに家庭用基地局のアクセスモードを知らせる。優先的に、上記ＵＥ関連メッセージは、ＵＥ初期化メッセージ、Ｓ１  ｓｅｔｕｐメッセージの１つを含めることができるが、ＵＥの関連がないメッセージは、Ｓ１  ｓｅｔｕｐメッセージ（即ち、Ｓ１構築メッセージ）を含めることができる。
【００４２】
一方、家庭用基地局とコアネットワークが家庭用基地局が所属する家庭用基地局ゲートウェイを介して接続する場合で、家庭用基地局は、アクセスモード情報を携帯するＵＥ関連メッセージを家庭用基地局ゲートウェイを介してコアネットワークへ転送する、或いは、さらにアクセスモード情報を携帯するＵＥの関連がないメッセージを家庭用基地局ゲートウェイへ送信して、家庭用基地局ゲートウェイに家庭用基地局のアクセスモード情報を知らせることができる。このように、コアネットワークは、家庭用基地局のアクセスモードを知る。
【００４３】
家庭用基地局は、更新された後のアクセスモード情報をコアネットワークへ通知する
家庭用基地局のアクセスモードが更新された後で、家庭用基地局は、更新された後のアクセスモードをコアネットワークへ通知することできる。
【００４４】
一方、家庭用基地局とコアネットワークが直接に接続する場合で、家庭用基地局は、更新された後のアクセスモード情報を、基地局配置更新メッセージであってもよい配置更新メッセージに携帯させてコアネットワークへ送信して、コアネットワークに家庭用基地局のアクセスモードを知らせることができる。
【００４５】
一方、家庭用基地局とコアネットワークが家庭用基地局ゲートウェイを介して接続する場合で、家庭用基地局は、更新された後のアクセスモード情報を携帯する配置更新メッセージを家庭用基地局ゲートウェイへ送信して、家庭用基地局ゲートウェイに家庭用基地局の更新された後のアクセスモード情報を知らせることができる。このように、コアネットワークは、家庭用基地局の更新された後のアクセスモードを知る。
【００４６】
上記処理より、コアネットワーク或いは家庭用基地局ゲートウェイに家庭用基地局のアクセスモードを直ちに知らせて、ＵＥのアクセスにミスが現れる問題を避けて、有効的にネットワークの性能とユーザー体験を高めることが可能となる。
【００４７】
以下、図面を参照して特定の応用場面に基づく具体実例を詳細に説明する。
【００４８】
実例１
本実例において、家庭用基地局がそのアクセスモード情報をコアネットワークへ報告して、具体的な処理プロセスがＬＴＥ  ＨｅＮＢがＨｅＮＢ  ＧＷを介してＣＮと接続するネットワークアーキテクチャに適用されることを説明する。図８に示すように、本実例の処理は、具体的に以下のステップを含める。
【００４９】
ステップ８０１において、ＵＥは、ＣＮへＮＡＳメッセージを送信して、当該メッセージを基地局より転送する。
【００５０】
ステップ８０２において、ＨｅＮＢは、受信されたＮＡＳメッセージをＵＥ初期化メッセージ（ｉｎｉｔｉａｌ  ＵＥ  ｍｅｓｓａｇｅ）にパッケージして、同時にこのＵＥ初期化メッセージに家庭用基地局のアクセスモードを表すためのアクセスモードメッセージセル（即ち、上述したアクセスモード情報）を携帯させる。
【００５１】
ステップ８０３において、ＨｅＮＢは、このＵＥ初期化メッセージをＨｅＮＢ  ＧＷへ送信する。
【００５２】
ステップ８０４において、ＨｅＮＢ  ＧＷは、ＵＥ初期化メッセージを受信して、このＵＥ初期化メッセージをコアネットワークに送信する。このように、コアネットワークは、家庭用基地局のアクセスモードを知て、後続のアクセス制御処理を行うことができる。
【００５３】
本実例の処理は、同様に３Ｇ通信システムにおける３Ｇ  ＨＮＢがＨＮＢ  ＧＷを介してコアネットワークと接続する場合に適用して、ＨｅＮＢをＨＮＢで示し、ＨｅＮＢ  ＧＷをＨＮＢ  ＧＷで示すことだけでよい。具体的な処理プロセスは、図８に示す処理と同じである。
【００５４】
この実例によれば、家庭用基地局がＵＥ初期化メッセージより家庭用基地局のアクセスモード情報をコアネットワークへ報告して、具体的な処理プロセスがＬＴＥ  ＨｅＮＢがＨｅＮＢ  ＧＷを介してＣＮと接続するネットワークアーキテクチャに適用されることを説明した。
【００５５】
実例２
本実例において、家庭用基地局がアクセスタイプをコアネットワークへ報告する処理プロセスを説明した。そして、この処理は、ＬＴＥ  ＨｅＮＢがＨｅＮＢ  ＧＷを介してＣＮと接続するネットワークアーキテクチャに適用される。図９に示すように、本実例の処理は、具体的に以下のステップを含める。
【００５６】
ステップ９０１において、ＨｅＮＢ、ＨｅＮＢ  ＧＷとコアネットワークは、ＳＣＴＰ接続を構築する。
【００５７】
ステップ９０２において、ＨｅＮＢは、Ｓ１  ｓｅｔｕｐメッセージにＨｅＮＢの家庭用基地局のアクセスモードを表すための家庭用基地局のアクセスモード情報を加える。
【００５８】
ステップ９０３において、ＨｅＮＢは、Ｓ１  ｓｅｔｕｐを家庭用基地局ゲートウェイへ送信する。ことのように、家庭用基地局ゲートウェイは、家庭用基地局のアクセスモードを知って、後続のアクセス制御処理を行うことができる。
【００５９】
本実例の処理は、同様に３Ｇ通信システムにおける３Ｇ  ＨＮＢがＨＮＢ  ＧＷを介してコアネットワークと接続する場合に適用して、ＨｅＮＢをＨＮＢで示し、ＨｅＮＢ  ＧＷをＨＮＢ  ＧＷで示して、そして、採用されたメッセージがＵＥ登録メッセージであればよい。具体的な処理プロセスは、図９に示す処理と同じである。
【００６０】
この実例より、家庭用基地局が家庭用基地局ゲートウェイへＳ１  ｓｅｔｕｐメッセージを送信することでアクセスタイプをコアネットワークへ報告する処理プロセスを説明した。そして、この処理は、ＬＴＥ  ＨｅＮＢがＨｅＮＢ  ＧＷを介してＣＮと接続するネットワークアーキテクチャに適用される。
【００６１】
実例３
本実例において、家庭用基地局がアクセスタイプをコアネットワークへ報告する処理プロセスを説明した。そして、この処理は、ＬＴＥ  ＨｅＮＢが直接にＣＮと接続するネットワークアーキテクチャに適用される。図１０に示すように、本実例の処理が具体的に以下のステップを含める。
【００６２】
ステップ１００１において、ＨｅＮＢは、コアネットワークとＳＣＴＰ接続を構築する。
【００６３】
ステップ１００２において、ＨｅＮＢは、Ｓ１  ｓｅｔｕｐメッセージ（即ち、上記Ｓ１インターフェースシグナル、Ｓ１構築メッセージとも呼ばれる）にＨｅＮＢの家庭用基地局のアクセスモードを表すための家庭用基地局のアクセスモード情報を加える。
【００６４】
ステップ１００３において、ＨｅＮＢは、このＳ１  ｓｅｔｕｐ（Ｓ１  構築メッセージ）をコアネットワークへ送信する。このように、コアネットワークネットエレメントは、ＨｅＮＢのアクセスモードを知って、後続のアクセス制御処理を行うことができる。
【００６５】
この実例より、家庭用基地局がコアネットワークへＳ１  ｓｅｔｕｐメッセージを送信することでアクセスタイプをコアネットワークへ報告する処理プロセスを説明した。この処理は、ＬＴＥ  ＨｅＮＢが直接にＣＮと接続するネットワークアーキテクチャに適用される。
【００６６】
実例４
本実例において、ＨｅＮＢのアクセスモードが変化する時にアクセスタイプをＨｅＮＢ  ＧＷへ報告する処理プロセスを説明した。そして、この処理は、ＬＴＥ  ＨｅＮＢがＨｅＮＢ  ＧＷを介してＣＮと接続するネットワークアーキテクチャに適用される。図１１に示すように、本実例の処理は、具体的に以下のステップを含める。
【００６７】
ステップ１１０１において、ＨｅＮＢ、ＨｅＮＢ  ＧＷとコアネットワークは、ＳＣＴＰ接続を構築する。
【００６８】
ステップ１１０２において、ＨｅＮＢのアクセスモードが変化する。
【００６９】
ステップ１１０３において、ＨｅＮＢは、ＨｅＮＢ  ＧＷへ新しいＨｅＮＢのアクセスモード情報を携帯する基地局の配置更新メッセージを送信する。
【００７０】
ステップ１１０４において、ＨｅＮＢ  ＧＷは、ＨｅＮＢへ配置更新応答メッセージを送信する。このように、ＨｅＮＢ  ＧＷは、ＨｅＮＢの更新された後のアクセスモードを知って、後続の処理操作を行うことができる。
【００７１】
本実例の処理は、同様に３Ｇ通信システムにおける３Ｇ  ＨＮＢがＨＮＢ  ＧＷを介してコアネットワークと接続する場合に適用して、ＨｅＮＢをＨＮＢで示して、ＨｅＮＢ  ＧＷをＨＮＢ  ＧＷで示すことだけでよい、そして、採用されたメッセージがＵＥ登録メッセージであればよい。具体的な処理プロセスは、図９に示す処理と同じである。
【００７２】
この実例より、ＨｅＮＢのアクセスモードが変化する時に、ＨｅＮＢがＨｅＮＢ  ＧＷへ基地局の配置更新メッセージを送信することでアクセスタイプをコアネットワークへ報告する処理プロセスを説明した。この処理は、ＬＴＥ  ＨｅＮＢがＨｅＮＢ  ＧＷを介してＣＮと接続するネットワークアーキテクチャに適用される。
【００７３】
実例５
本実例において、ＨｅＮＢのアクセスモードが変化する時に、アクセスタイプをコアネットワークへ報告する処理プロセスを説明した。この処理は、ＬＴＥ  ＨｅＮＢが直接にＣＮと接続するネットワークアーキテクチャに適用される。図１２に示すように、本実例の処理は、具体的に以下のステップを含める。
【００７４】
ステップ１２０１において、ＨｅＮＢとコアネットワークは、ＳＣＴＰ接続を構築する。
【００７５】
ステップ１２０２において、ＨｅＮＢのアクセスモードが変化する。
【００７６】
ステップ１２０３において、ＨｅＮＢは、コアネットワークへ新しいＨｅＮＢのアクセスモード情報を携帯する基地局の配置更新メッセージを送信する。
【００７７】
ステップ１２０４において、コアネットワークは、ＨｅＮＢへ配置更新応答メッセージを送信する。このように、コアネットワークは、ＨｅＮＢの更新された後のアクセスモードを知って、後続の処理操作を行うことができる。
【００７８】
この実例より、ＨｅＮＢのアクセスモードが変化する時に、ＨｅＮＢがコアネットワークへ基地局の配置更新メッセージを送信することでアクセスタイプをコアネットワークへ報告する処理プロセスを説明した。この処理は、ＬＴＥ  ＨｅＮＢが直接にＣＮと接続するネットワークアーキテクチャに適用される。
【００７９】
需要によって説明するように、本発明の実施例は、ＵＥ関連メッセージにおけるＵＥ初期化メッセージとＵＥの関連がないメッセージにおけるＳ１  ｓｅｔｕｐメッセージを例にして説明することだけであるが、これに限られなく、その他のＵＥ関連メッセージとＵＥの関連がないメッセージを使用して本発明を実施する案も本発明の特許請求範囲にある。
【００８０】
上述したように、本発明が提供された家庭用基地局に基づくアクセスモード処理方法によれば、家庭用基地局がそのアクセスモード情報をコアネットワーク或いは家庭用基地局ゲートウェイへ通知することで、コアネットワーク或いは家庭用基地局ゲートウェイが家庭用基地局のアクセスモードを直ちに知ることが可能となって（特に家庭用基地局のアクセスモードが変化する時）、ＵＥのアクセスにミスが現れる問題を避けて、有效的にネットワークの性能とユーザー体験を高める。
【００８１】
上述したものは、本発明の好適な実施形態だけであるが、本発明を限定することに用いられるものではなく、当業者にとっては、様々な変更と変化を実施することができる。実質及び要旨を逸脱しない範囲で、当業者が本発明に対して行った様々の修正、等同切替、改良などは、本発明の特許請求の範囲に含まれると理解すべきである。
【図１】
2012518352.tif 000003
【図２】
2012518352.tif 000004
【図６】
2012518352.tif 000005
【図３】
2012518352.tif 000006
【図４】
2012518352.tif 000007
【図５】
2012518352.tif 000008
【図７】
2012518352.tif 000009
【図８】
2012518352.tif 000010
【図９】
2012518352.tif 000011
【図１０】
2012518352.tif 000012
【図１１】
2012518352.tif 000013
【図１２】
2012518352.tif 000014
【国際調査報告】
2012518352.tif 000015
2012518352.tif 000016
2012518352.tif 000017
2012518352.tif 000018